(57)【要約】【課題】還気バイパス状態と外気バイパス状態との両者に適切に切り替えて、潜熱処理部と顕熱処理部を効率良く利用した空調の効率化を図ること。【解決手段】外気側風路１１における潜熱処理部１２よりも上流側と還気側風路２１における顕熱処理部２２よりも上流側とを連通可能なバイパス路３３と、バイパス路３３に配置されたバイパス風量調整部３４と、ケーシング２内におけるバイパス路３３よりも空気通流方向の下流側に配置されて顕熱処理部２２への通風抵抗と潜熱処理部１２への通風抵抗との相対関係を調整可能な通風抵抗調整部３５と、バイパス風量調整部３４及び通風抵抗調整部３５を作動制御して、外気の一部をバイパス路３３を通して還気側風路２１に導入する外気バイパス状態と、還気の一部をバイパス路３３を通して外気側風路１１に導入する還気バイパス状態とを切替可能なバイパス状態切替制御部４１とが備えられている。【選択図】図１
2020003099.tif 000002
【特許請求の範囲】
【請求項１】
ケーシング内に設けられ、外気が取り込まれる外気側風路と、
前記ケーシング内に設けられ、還気が取り込まれる還気側風路と、
前記外気側風路に配置されて通風空気の潜熱を処理可能な潜熱処理部と、
前記還気側風路に配置されて通風空気の顕熱を処理可能な顕熱処理部と、
前記外気側風路及び前記還気側風路に外気及び還気を取り込み、その取り込んだ外気及び還気を前記潜熱処理部及び前記顕熱処理部に通風させた後に混合して空調対象空間に供給可能な共通のファンと、
前記ケーシング内に設けられ、前記外気側風路における前記潜熱処理部よりも上流側と、前記還気側風路における前記顕熱処理部よりも上流側とを連通可能なバイパス路と、
前記バイパス路に配置されてバイパス風量を調整可能なバイパス風量調整部と、
前記ケーシング内における前記バイパス路よりも空気通流方向の下流側に配置されて前記顕熱処理部への通風抵抗と前記潜熱処理部への通風抵抗との相対関係を調整可能な通風抵抗調整部と、
前記バイパス風量調整部及び前記通風抵抗調整部を作動制御して、前記外気側風路に取り込まれた外気の一部を、前記バイパス路を通して前記還気側風路に導入する外気バイパス状態と、前記還気側風路に取り込まれた還気の一部を、前記バイパス路を通して前記外気側風路に導入する還気バイパス状態とを切替可能なバイパス状態切替制御部とが備えられている空調システム。
【請求項２】
前記通風抵抗調整部として、前記ケーシング内の前記還気側風路における前記バイパス路の連通箇所よりも下流側に配置されて前記顕熱処理部の通風量を調整可能な第１風量調整部が備えられ、
前記バイパス状態切替制御部は、少なくとも、前記バイパス路を通して通風可能となるように前記バイパス風量調整部を作動させ、且つ、前記顕熱処理部への通風抵抗が前記潜熱処理部への通風抵抗よりも大きくなるように前記第１風量調整部を作動させて、前記還気バイパス状態を現出する請求項１に記載の空調システム。
【請求項３】
前記通風抵抗調整部として、前記ケーシング内の前記外気側風路における前記バイパス路の連通箇所よりも下流側に配置されて前記潜熱処理部の通風量を調整する第２風量調整部が更に備えられ、
前記バイパス状態切替制御部は、前記バイパス路を通して通風可能となるように前記バイパス風量調整部を作動させ、且つ、前記潜熱処理部への通風抵抗が前記顕熱処理部への通風抵抗よりも大きくなるように前記第１風量調整部及び第２風量調整部を作動させて、前記外気バイパス状態を現出し、前記バイパス路を通して通風可能となるように前記バイパス風量調整部を作動させ、且つ、前記顕熱処理部への通風抵抗が前記潜熱処理部への通風抵抗よりも大きくなるように前記第１風量調整部及び第２風量調整部を作動させて、前記還気バイパス状態を現出する請求項２に記載の空調システム。
【請求項４】
前記外気側風路における前記バイパス路の連通箇所よりも下流側に配置される外気側フィルタと、
前記還気側風路における前記バイパス路の連通箇所よりも下流側に配置される還気側フィルタと、が備えられ、
前記外気側フィルタが、前記還気側フィルタよりも捕集率が高くて圧力損失が大きいフィルタにて構成されている請求項１〜３の何れか１項に記載の空調システム。
【請求項５】
前記バイパス状態切替制御部は、空調対象空間の顕熱負荷及び潜熱負荷を取得し、取得した空調対象空間の顕熱負荷が下限以下になると前記外気バイパス状態に切り替え、取得した空調対象空間の潜熱負荷が上限以上になると前記還気バイパス状態に切り替える請求項１〜４の何れか１項に記載の空調システム。
【発明の詳細な説明】
【技術分野】
【０００１】
本発明は、通風空気の潜熱を処理可能な潜熱処理部と、通風空気の顕熱を処理可能な顕熱処理部とが備えられている空調システムに関する。
【背景技術】
【０００２】
この空調システムでは、外気が取り込まれる外気側風路と、空調対象空間からの還気が取り込まれる還気側風路とが備えられ、潜熱処理部が、外気側風路における通風空気の潜熱を処理し、顕熱処理部が、還気側風路における通風空気の顕熱を処理している。潜熱処理部に外気を通風させるとともに、顕熱処理部に還気を通風させるための共通のファンが備えられ、潜熱処理部にて潜熱処理された後の外気と顕熱処理部にて顕熱処理された後の還気とを混合させて空調対象空間に供給している（例えば、特許文献１、２参照。）。
【０００３】
特許文献１、２に記載のシステムでは、潜熱処理部が配置された外気側風路と、顕熱処理部が配置された還気側風路と、共通のファンとがケーシング内に備えられている。
【０００４】
このような空調システムでは、空調対象空間の潜熱負荷や顕熱負荷等の状況によって、外気側風路に取り込まれた外気の一部を、バイパス路を通して還気側風路に導入する外気バイパス状態や、還気側風路に取り込まれた還気の一部を、バイパス路を通して外気側風路に導入する還気バイパス状態に切り替えることが望まれている。
【０００５】
そこで、特許文献１に記載のシステムでは、外気バイパス状態と還気バイパス状態とに切替可能なバイパス状態切替制御部が備えられている。特許文献１に記載のシステムでは、ケーシング内に、外気側風路における潜熱処理部よりも上流側と還気側風路における顕熱処理部よりも上流側とを連通可能なバイパス路が備えられ、バイパス路には、バイパス路におけるバイパス風量を調整可能な第１調整ダンパ及び第２調整ダンパが備えられている。ケーシング外には、ケーシング内の外気側風路に連通する外気ダクトと、ケーシング内の還気側風路に連通する還気ダクトとが備えられ、外気ダクトには、ケーシング内の外気側風路への外気の通風量を調整可能な外気ダンパが備えられ、還気ダクトには、ケーシング内の還気側風路への還気の通風量を調整可能な還気ダンパが備えられている。バイパス状態切替制御部は、第１調整ダンパ、第２調整ダンパ、外気ダンパ、及び、還気ダンパを作動制御することで、外気バイパス状態と還気バイパス状態とに切替可能に構成されている。
【０００６】
また、特許文献２に記載のシステムでは、外気バイパス状態と還気バイパス状態のうち、還気バイパス状態のみに切替可能なバイパス状態切替制御部が備えられている。特許文献２に記載のシステムでは、外気側風路に連通する第１空気風路と、還気側風路に連通する第２空気風路と、第１空気風路と第２空気風路とを連通可能なバイパス路とが備えられている。第１空気風路におけるバイパス路の連通箇所よりも上流側には、外気の通風量を調整可能な外気調整ダンパが備えられ、第２空気風路におけるバイパス路の連通箇所よりも下流側には、還気の通風量を調整可能な還気調整ダンパが備えられ、バイパス路には、バイパス路におけるバイパス風量を調整可能な混合調整ダンパが備えられている。バイパス状態切替制御部は、混合調整ダンパを作動制御して、還気バイパス状態に切替可能に構成されている。
【先行技術文献】
【特許文献】
【０００７】
【特許文献１】特開２００１−０８２７６３号公報
【特許文献２】特開２０１５−０５９６９２号公報
【発明の概要】
【発明が解決しようとする課題】
【０００８】
上記特許文献１に記載のシステムでは、バイパス状態切替制御部が、第１調整ダンパ及び第２調整ダンパを適当な中間開度に調整し、還気ダンパ及び外気ダンパを所定開度に調整して、還気ダクトからケーシング内の還気側風路へ流入する風圧を、外気ダクトからケーシング内の外気側風路に流入する風圧よりも小さくすることで、外気バイパス状態を現出している。また、バイパス状態切替制御部は、第１調整ダンパを適当な中間開度に調整し、第２調整ダンパを全開にし、還気ダンパ及び外気ダンパを所定開度に調整して、還気ダクトからケーシング内の還気側風路へ流入する風圧を、外気ダクトからケーシング内の外気側風路に流入する風圧よりも大きくすることで、還気バイパス状態を現出している。
【０００９】
このように、特許文献１に記載のシステムでは、外気ダクトからケーシング内の外気側風路に流入する風圧と還気ダクトからケーシング内の還気側風路へ流入する風圧との相対関係（大小関係）を調整することで、外気バイパス状態と還気バイパス状態とに切り替えている。
【００１０】
しかしながら、潜熱処理部と顕熱処理部の配置や仕様（圧力損失）、フィルタの存在等によって潜熱処理部への通風抵抗と顕熱処理部への通風抵抗に差がある場合には、外気バイパス状態や還気バイパス状態に適切に切り替えることができない可能性がある。
【００１１】
例えば、外気側風路の潜熱処理部の上流側には外気側フィルタが配置され、還気側風路の顕熱処理部の上流側には還気側フィルタが配置されることが多く、しかも、外気側フィルタは、還気側フィルタよりも捕集率が高くて圧力損失が大きいフィルタにて構成されているのが一般的である。よって、外気側風路における潜熱処理部への通風抵抗は、還気側風路における顕熱処理部への通風抵抗よりも大きくなりがちになる。
【００１２】
そのため、還気バイパス状態に切り替える場合に、還気ダクトからケーシング内の還気側風路へ流入する風圧を、外気ダクトからケーシング内の外気側風路に流入する風圧よりも大きくしても、通風抵抗の小さい還気側風路の顕熱処理部への通風量が偏って多くなるだけで、還気側風路からバイパス路を通して外気側風路に還気を導入する還気バイバス状態が適切に現出できない虞があり、仮に現出できたとしても、バイパス風量の制御を精密には行えない。
【００１３】
また、特許文献１に記載のシステムでは、バイバス状態を切り替えるための還気ダンパと外気ダンパがケーシング外に設けられているので、これらを事前に組み付けておくのが難しく、システム構築現場での作業手間が多くなる。
【００１４】
特許文献２に記載のシステムでは、還気バイパス状態に切り替えることができるものの、外気バイパス状態に切り替えることができない。よって、外気の一部を顕熱処理部に通風させる空調パターンを取ることができないので、外気バイパス状態に切り替えるという要望に応えることができず、潜熱処理部と顕熱処理部を効率良く利用した空調の効率化が十分に図れない。
【００１５】
また、特許文献２に記載のシステムでは、外気調整ダンパ、還気調整ダンパ、及び、混合調整ダンパをケーシング外に設ける場合に、これらを事前に組み付けておくのが難しく、システム構築現場での作業手間が多くなる。
【００１６】
この実情に鑑み、本発明の主たる課題は、システム構築現場での作業手間の軽減を図りながら、還気バイパス状態と外気バイパス状態との両者に適切に切り替えて、潜熱処理部と顕熱処理部を効率良く利用した空調の効率化を図ることができる空調システムを提供する点にある。
【課題を解決するための手段】
【００１７】
本発明の第１特徴構成は、ケーシング内に設けられ、外気が取り込まれる外気側風路と、
前記ケーシング内に設けられ、還気が取り込まれる還気側風路と、
前記外気側風路に配置されて通風空気の潜熱を処理可能な潜熱処理部と、
前記還気側風路に配置されて通風空気の顕熱を処理可能な顕熱処理部と、
前記外気側風路及び前記還気側風路に外気及び還気を取り込み、その取り込んだ外気及び還気を前記潜熱処理部及び前記顕熱処理部に通風させた後に混合して空調対象空間に供給可能な共通のファンと、
前記ケーシング内に設けられ、前記外気側風路における前記潜熱処理部よりも上流側と、前記還気側風路における前記顕熱処理部よりも上流側とを連通可能なバイパス路と、
前記バイパス路に配置されてバイパス風量を調整可能なバイパス風量調整部と、
前記ケーシング内における前記バイパス路よりも空気通流方向の下流側に配置されて前記顕熱処理部への通風抵抗と前記潜熱処理部への通風抵抗との相対関係を調整可能な通風抵抗調整部と、
前記バイパス風量調整部及び前記通風抵抗調整部を作動制御して、前記外気側風路に取り込まれた外気の一部を、前記バイパス路を通して前記還気側風路に導入する外気バイパス状態と、前記還気側風路に取り込まれた還気の一部を、前記バイパス路を通して前記外気側風路に導入する還気バイパス状態とを切替可能なバイパス状態切替制御部とが備えられている点にある。
【００１８】
本構成によれば、顕熱負荷や潜熱負荷の状況に応じて、バイパス状態切替制御部が外気バイパス状態や還気バイパス状態に切り替えることができ、過剰な室内温度の低下や過剰な室内湿度の上昇を防止することができる。
【００１９】
バイパス状態切替制御部が外気バイパス状態や還気バイパス状態に切り替えるに当たり、通風抵抗調整部にて顕熱処理部への通風抵抗と潜熱処理部への通風抵抗との相対関係を調整して外気バイパス状態と還気バイパス状態を現出することができる。よって、潜熱処理部と顕熱処理部の配置や仕様（圧力損失）、フィルタの存在等によって潜熱処理部への通風抵抗と顕熱処理部への通風抵抗に差がある場合でも、顕熱処理部への通風抵抗と潜熱処理部への通風抵抗との相対関係を適切に調整して外気バイパス状態と還気バイパス状態を適切に現出することができる。
【００２０】
例えば、バイパス状態切替制御部は、バイパス風量調整部にてバイパス路を通して通風可能とし、且つ、通風抵抗調整部にて潜熱処理部への通風抵抗が顕熱処理部への通風抵抗よりも大きくなるように調整することで、外気バイパス状態を現出することができる。また、バイパス状態切替制御部は、バイパス風量調整部にてバイパス路を通して通風可能とし、且つ、通風抵抗調整部にて顕熱処理部への通風抵抗が潜熱処理部への通風抵抗よりも大きくなるように調整することで、還気バイパス状態を現出することができる。
【００２１】
このように、還気バイパス状態と外気バイパス状態との両者に適切に切り替えて、潜熱処理部と顕熱処理部を効率良く利用した空調の効率化を図ることができる。更に、バイパス風量調整部及び通風抵抗調整部をシステム構築現場への搬入前からケーシング内に設けておくことで、システム構築現場での作業手間も削減することができる。
【００２２】
本発明の第２特徴構成は、前記通風抵抗調整部として、前記ケーシング内の前記還気側風路における前記バイパス路の連通箇所よりも下流側に配置されて前記顕熱処理部の通風量を調整可能な第１風量調整部が備えられ、
前記バイパス状態切替制御部は、少なくとも、前記バイパス路を通して通風可能となるように前記バイパス風量調整部を作動させ、且つ、前記顕熱処理部への通風抵抗が前記潜熱処理部への通風抵抗よりも大きくなるように前記第１風量調整部を作動させて、前記還気バイパス状態を現出する点にある。
【００２３】
本構成によれば、潜熱処理部と顕熱処理部の配置や仕様（圧力損失）、フィルタの存在等によって潜熱処理部への通風抵抗が顕熱処理部への通風抵抗よりも大きい場合でも、バイパス状態切替制御部が、少なくとも、バイパス路を通して通風可能となるようにバイパス風量調整部を作動させ、且つ、顕熱処理部への通風抵抗が潜熱処理部への通風抵抗よりも大きくなるように第１風量調整部を作動させる（風量を絞る）ことで、潜熱処理部の側に還気の一部を適切に供給することができ、還気バイパス状態を適切に現出することができる。
【００２４】
また、潜熱処理部への通風抵抗が顕熱処理部への通風抵抗よりも大きい場合には、少なくとも、バイパス路を通して通風可能となるようにバイパス風量調整部を作動させることで、潜熱処理部への通風抵抗と顕熱処理部への通風抵抗との大小関係を利用して、顕熱処理部の側に外気の一部を供給することができ、外気バイパス状態を効率良く現出することができる。
【００２５】
本発明の第３特徴構成は、前記通風抵抗調整部として、前記ケーシング内の前記外気側風路における前記バイパス路の連通箇所よりも下流側に配置されて前記潜熱処理部の通風量を調整する第２風量調整部が更に備えられ、
前記バイパス状態切替制御部は、前記バイパス路を通して通風可能となるように前記バイパス風量調整部を作動させ、且つ、前記潜熱処理部への通風抵抗が前記顕熱処理部への通風抵抗よりも大きくなるように前記第１風量調整部及び第２風量調整部を作動させて、前記外気バイパス状態を現出し、前記バイパス路を通して通風可能となるように前記バイパス風量調整部を作動させ、且つ、前記顕熱処理部への通風抵抗が前記潜熱処理部への通風抵抗よりも大きくなるように前記第１風量調整部及び第２風量調整部を作動させて、前記還気バイパス状態を現出する点にある。
【００２６】
本構成によれば、バイパス状態切替制御部は、バイパス風路に配置されたバイパス風量調整部、還気側風路に配置された第１風量調整部、外気側風路に配置された第２風量調整部の三者を作動制御することで、外気バイパス状態や還気バイパス状態に適切に切り替えることができるだけでなく、外気バイパス状態や還気バイパス状態に切り替えた際の風量調整も精度よく行うことができる。
【００２７】
本発明の第４特徴構成は、前記外気側風路における前記バイパス路の連通箇所よりも下流側に配置される外気側フィルタと、
前記還気側風路における前記バイパス路の連通箇所よりも下流側に配置される還気側フィルタと、が備えられ、
前記外気側フィルタが、前記還気側フィルタよりも捕集率が高くて圧力損失が大きいフィルタにて構成されている点にある。
【００２８】
本構成によれば、外気側風路に配置された外気側フィルタ、及び、還気側風路に配置された還気側フィルタにて、外気側風路及び還気側風路を流れる空気の粉塵等を捕集することができる。特に、外気側フィルタは、還気側フィルタよりも捕集率が高くて圧力損失が大きいフィルタにて構成されているので、粉塵等の多い外気から粉塵等を適切に捕集することができる。
【００２９】
そして、還気バイパス状態に切り替える場合には、バイパス状態切替制御部が、少なくとも、バイパス路を通して通風可能となるようにバイパス風量調整部を作動させ、且つ、顕熱処理部への通風抵抗が潜熱処理部への通風抵抗よりも大きくなるように第１風量調整部を作動させることで、還気側フィルタよりも捕集率が高くて圧力損失が大きい外気側フィルタの存在で通風抵抗が大きな潜熱処理部の側に還気の一部を適切に供給することができ、還気バイパス状態を適切に現出することができる。
【００３０】
本発明の第５特徴構成は、前記バイパス状態切替制御部は、空調対象空間の顕熱負荷及び潜熱負荷を取得し、取得した空調対象空間の顕熱負荷が下限以下になると前記外気バイパス状態に切り替え、取得した空調対象空間の潜熱負荷が上限以上になると前記還気バイパス状態に切り替える点にある。
【００３１】
本構成によれば、バイパス状態切替制御部は、取得した空調対象空間の顕熱負荷が下限以下になると、外気側風路に取り込まれた外気の一部を還気側風路に導入させる外気バイパス状態に切り替えることで、外気側風路に配置された潜熱処理部による顕熱処理分（潜熱処理に伴う過剰な顕熱処理）を抑えて適正な顕熱負荷に調整することができる。
【００３２】
また、バイパス状態切替制御部は、取得した空調対象空間の潜熱負荷が上限以上になると、還気側風路に取り込まれた還気の一部を外気側風路に導入させる還気バイパス状態に切り替えることで、外気側風路に配置された潜熱処理部による潜熱処理量（冷却除湿量）を増やして適正な潜熱負荷に調整することができる。
【図面の簡単な説明】
【００３３】
【図１】空調システムの全体概略を示す図
【図２】外気バイパス状態に切り替えた場合の空調システムの全体概略を示す図
【図３】還気バイパス状態に切り替えた場合の空調システムの全体概略を示す図
【図４】空調システムの動作を示すフローチャート
【図５】バイパス制御における動作を示すフローチャート
【図６】別実施形態における空調システムの全体概略を示す図
【発明を実施するための形態】
【００３４】
本発明に係る空調システムの実施形態を図面に基づいて説明する。
この空調システム１００は、図１に示すように、建物の居室等の空調対象空間１の空調を行う各種の機器が内蔵されたケーシング２と、ケーシング２に接続された複数のダクト３〜５と、空調システム１００の運転を制御する運転制御部４０等が備えられている。ケーシング２に接続されたダクト３〜５として、外気ＯＡをケーシング２内に供給可能な外気ダクト３と、空調対象空間１からの還気ＲＡをケーシング２内に供給可能な還気ダクト４と、ケーシング２内にて空調された空気を給気ＳＡとして空調対象空間１に供給可能な給気ダクト５とが備えられている。
【００３５】
ケーシング２内には、外気ダクト３からの外気ＯＡが取り込まれる外気側風路１１と、還気ダクト４からの還気ＲＡが取り込まれる還気側風路２１とが備えられている。ケーシング２内には、隔壁部２ａが備えられ、その隔壁部２ａによりケーシング２内に外気側風路１１と還気側風路２１とが区画形成されている。外気側風路１１には、通風空気の潜熱を処理可能な潜熱処理部１２が配置され、還気側風路２１には、通風空気の顕熱を処理可能な顕熱処理部２２が配置されている。潜熱処理部１２には、図外の熱源からの熱媒体（例えば、冷水）を循環供給する潜熱側循環供給路１３が接続され、潜熱側循環供給路１３には、熱源から潜熱処理部１２への熱媒体の循環供給量を調整可能な潜熱側調整弁１４が備えられている。顕熱処理部２２にも、図外の熱源からの熱媒体（例えば、冷水）を循環供給する顕熱側循環供給路２３が接続され、顕熱側循環供給路２３には、熱源から顕熱処理部２２への熱媒体の循環供給量を調整可能な顕熱側調整弁２４が備えられている。
【００３６】
ケーシング２内には、外気側風路１１及び還気側風路２１に加えて、外気側風路１１及び還気側風路２１に外気ＯＡ及び還気ＲＡを取り込み、その取り込んだ外気ＯＡ及び還気ＲＡを潜熱処理部１２及び顕熱処理部２２に通風させた後に混合して空調対象空間１に供給可能な共通のファン３１が備えられている。共通のファン３１を作動させることで、外気ダクト３を通して外気側風路１１に外気ＯＡを取り込み、その取り込んだ外気ＯＡを潜熱処理部１２に通風させるとともに、還気ダクト４を通して還気側風路２１に還気ＲＡを取り込み、その取り込んだ還気ＲＡを顕熱処理部２２に通風させている。潜熱処理部１２にて潜熱処理（冷却除湿処理）された外気ＯＡと顕熱処理部２２にて顕熱処理（冷却処理）された還気ＲＡとは、ケーシング２内の混合空間３２にて混合された後、外気ＯＡと還気ＲＡとの混合気が給気ＳＡとして、給気ダクト５を通して空調対象空間１に供給されている。
【００３７】
ケーシング２内には、外気側風路１１における潜熱処理部１２よりも空気通流方向の上流側と還気側風路２１における顕熱処理部２２よりも空気通流方向の上流側とを連通可能なバイパス路３３が備えられている。バイパス路３３は、空気通流方向において外気側風路１１の上流側端部と還気側風路２１の上流側端部とを連通可能に構成されている。バイパス路３３には、バイパス風量を調整可能なバイパス風量調整部３４が配置されている。バイパス風量調整部３４は、例えば、開度を調整することでバイパス風量を調整可能な開度調整弁にて構成されている。
【００３８】
外気側風路１１には、バイパス路３３の連通箇所よりも空気通流方向の下流側に外気側フィルタ１５が配置され、還気側風路２１には、バイパス路３３の連通箇所よりも空気通流方向の下流側に還気側フィルタ２５が配置されている。外気側フィルタ１５にて潜熱処理部１２に通風される外気ＯＡに含まれる塵埃等が除去され、還気側フィルタ２５にて顕熱処理部２２に通風される還気ＲＡに含まれる塵埃等が除去されている。外気側フィルタ１５と還気側フィルタ２５との間では、外気側フィルタ１５が、還気側フィルタ２５よりも捕集率が高くて圧力損失が大きいフィルタにて構成されている。
【００３９】
ケーシング２内には、バイパス路３３よりも空気通流方向の下流側に配置されて潜熱処理部１２への通風抵抗と顕熱処理部２２への通風抵抗との相対関係を調整可能な通風抵抗調整部３５が備えられている。通風抵抗調整部３５として、顕熱処理部２２の通風量を調整可能な第１風量調整部２６と、潜熱処理部１２の通風量を調整可能な第２風量調整部１６とが備えられている。第１風量調整部２６及び第２風量調整部１６は、例えば、開度を調整することで通風量を調整可能な開度調整弁にて構成されている。第１風量調整部２６は、還気側風路２１におけるバイパス路３３の連通箇所よりも空気通流方向の下流側に配置され、顕熱処理部２２への通風抵抗を調整可能に構成されている。第２風量調整部１６は、外気側風路１１におけるバイパス路３３の連通箇所よりも通風方向の下流側に配置され、潜熱処理部１２への通風抵抗を調整可能に構成されている。
【００４０】
このようにして、外気側風路１１には、空気通流方向の上流側から、外気側フィルタ１５、第２風量調整部１６、潜熱処理部１２の順に配置されている。還気側風路２１には、空気通流方向の上流側から、還気側フィルタ２５、第１風量調整部２６、顕熱処理部２２の順に配置されている。
【００４１】
運転制御部４０は、共通のファン３１、潜熱側調整弁１４、及び、顕熱側調整弁２４等の作動状態を制御することで、空調システム１００の運転を制御するように構成されている。ユーザ等にて図外のリモコンが操作されると、運転制御部４０は、そのリモコンの操作に応じて、空調システム１００の運転を制御している。
【００４２】
リモコンにてＯＮ操作された場合には、運転制御部４０が、共通のファン３１を作動させ、潜熱側調整弁１４及び顕熱側調整弁２４を設定開度に開作動させて、空調システム１００をＯＮ作動させている。空調システム１００をＯＮ作動させる場合には、運転制御部４０が、バイパス風量調整部３４を全閉状態とし、且つ、第１風量調整部２６及び第２風量調整部１６を全開状態としている。このＯＮ作動により、図１に示すように、外気ダクト３を通して外気側風路１１に外気ＯＡを取り込み、その取り込んだ外気ＯＡを潜熱処理部１２に通風させて潜熱処理（冷却除湿処理）させるとともに、還気ダクト４を通して還気側風路２１に還気ＲＡを取り込み、その取り込んだ還気ＲＡを顕熱処理部２２に通風させて顕熱処理（冷却処理）させている。潜熱処理部１２にて潜熱処理（冷却除湿処理）された外気ＯＡと顕熱処理部２２にて顕熱処理（冷却処理）された還気ＲＡとは、ケーシング２内の混合空間３２にて混合された後、外気ＯＡと還気ＲＡとの混合気が給気ＳＡとして、給気ダクト５を通して空調対象空間１に供給されている。
【００４３】
空調対象空間１には、空調対象空間１の潜熱負荷を検出するための湿度センサ６と、空調対象空間１の顕熱負荷を検出するための温度センサ７とが備えられている。運転制御部４０は、湿度センサ６の検出湿度が設定湿度となり、且つ、温度センサ７の検出温度が設定温度となるように、共通のファン３１、潜熱側調整弁１４及び顕熱側調整弁２４等の作動状態を制御している。設定湿度及び設定温度については、ユーザがリモコン等を用いて設定可能となっている。
【００４４】
運転制御部４０には、図２に示すように、外気側風路１１に取り込まれた外気ＯＡの一部を、バイパス路３３を通して還気側風路２１に導入する外気バイパス状態と、図３に示すように、還気側風路２１に取り込まれた還気ＲＡの一部を、バイパス路３３を通して外気側風路１１に導入する還気バイパス状態とを切替可能なバイパス状態切替制御部４１が備えられている。
【００４５】
バイパス状態切替制御部４１は、バイパス風量調整部３４、第１風量調整部２６、及び、第２風量調整部１６を作動制御して、外気バイパス状態（図２参照）と還気バイパス状態（図３参照）とに切替可能に構成されている。ちなみに、図１〜図３では、バイパス風量調整部３４、第１風量調整部２６、及び、第２風量調整部１６の開閉状態について、開状態であるものを白抜きにて示し、閉状態であるものを黒塗りにて示している。
【００４６】
バイパス状態切替制御部４１が外気バイパス状態に切り替えるに当たり、顕熱処理部２２への通風抵抗が潜熱処理部１２への通風抵抗よりも大きくなると、外気ＯＡを還気側風路２１に適切に導入することができず、外気バイパス状態に適切に切り替えることができない。また、バイパス状態切替制御部が還気バイパス状態に切り替えるに当たり、潜熱処理部１２への通風抵抗が顕熱処理部２２への通風抵抗よりも大きくなると、還気ＲＡを外気側風路１１に適切に導入することができず、還気バイパス状態に適切に切り替えることができない。
【００４７】
そこで、バイパス状態切替制御部４１は、バイパス風量調整部３４を作動制御するだけでなく、第１風量調整部２６及び第２風量調整部１６を作動制御することで、顕熱処理部２２への通風抵抗と潜熱処理部１２への通風抵抗との相対関係を調整して、外気バイパス状態と還気バイパス状態とに切り替えるようにしている。
【００４８】
図２に基づいて、外気バイパス状態に切り替える場合について説明する。
バイパス状態切替制御部４１は、バイパス路３３を通して通風可能となるようにバイパス風量調整部３４を作動させるだけでなく、潜熱処理部１２への通風抵抗が顕熱処理部２２への通風抵抗よりも大きくなるように第１風量調整部２６及び第２風量調整部１６を作動させて、外気バイパス状態を現出している。バイパス状態切替制御部４１は、例えば、バイパス風量調整部３４を全開状態に作動させ、且つ、第１風量調整部２６及び第２風量調整部１６の開度を外気バイパス用設定開度に開作動させている。このように、バイパス状態切替制御部４１は、第１風量調整部２６及び第２風量調整部１６を外気バイパス用設定開度に開作動させることで、潜熱処理部１２への通風抵抗が顕熱処理部２２への通風抵抗よりも大きくなり、外気ＯＡの一部を還気側風路２１に適切に導入することができ、外気バイパス状態に適切に切り替えることができる。
【００４９】
外気バイパス用設定開度について説明する。
外気側フィルタ１５での圧力損失が還気側フィルタ２５での圧力損失よりも大きい場合には、潜熱処理部１２への通風抵抗が顕熱処理部２２への通風抵抗よりも大きくなる傾向にある。また、潜熱処理部１２での圧力損失が顕熱処理部２２での圧力損失よりも大きい場合には、潜熱処理部１２への通風抵抗が顕熱処理部２２への通風抵抗よりも大きくなる傾向にある。このように、潜熱処理部１２への通風抵抗と顕熱処理部２２への通風抵抗との大小関係は、外気側フィルタ１５での圧力損失と還気側フィルタ２５での圧力損失との大小関係、及び、潜熱処理部１２での圧力損失と顕熱処理部２２での圧力損失との大小関係等に対して一定の関係性を有している。
【００５０】
そこで、外気バイパス用設定開度は、外気側フィルタ１５での圧力損失と還気側フィルタ２５での圧力損失との大小関係、及び、潜熱処理部１２での圧力損失と顕熱処理部２２での圧力損失との大小関係に基づいて、潜熱処理部１２への通風抵抗が顕熱処理部２２への通風抵抗よりも大きくなるように、実験等により予め設定されている。外気バイパス用設定開度は、第１風量調整部２６に対する設定開度と第２風量調整部１６に対する設定開度との夫々が設定されている。
【００５１】
ちなみに、外気バイパス用設定開度は、一定の開度に設定するだけでなく、例えば、潜熱処理部１２での圧力損失と顕熱処理部２２での圧力損失との大小関係等の変化に応じて、変更設定することも可能である。
【００５２】
外気バイパス状態では、図２に示すように、外気側風路１１に取り込まれた外気ＯＡの一部が、バイパス路３３を通して還気側風路２１に導入され、その導入された外気ＯＡと還気側風路２１に取り込まれた還気ＲＡとを混合させて顕熱処理部２２に通風させている。外気側風路１１に取り込まれた外気ＯＡの残りは、潜熱処理部１２に通風させている。潜熱処理部１２にて潜熱処理（冷却除湿処理）された外気ＯＡと、顕熱処理部２２にて顕熱処理（冷却処理）された外気ＯＡと還気ＲＡとの混合気は、ケーシング２内の混合空間３２にて混合された後、給気ＳＡとして、給気ダクト５を通して空調対象空間１に供給されている。
【００５３】
バイパス状態切替制御部４１は、外気バイパス状態に切り替えた状態において、バイパス風量調整部３４、第１風量調整部２６、及び、第２風量調整部１６の夫々における開度を制御することで、潜熱処理部１２への通風量、及び、顕熱処理部２２への通風量を調整自在に構成されている。例えば、空調対象空間１の温度センサ７の検出温度である室内温度が設定温度よりも低い場合には、バイパス状態切替制御部４１が、第１風量調整部２６の開度を外気バイパス用設定開度よりも開き側に調整する制御、及び、第２風量調整部１６の開度を外気バイパス用設定開度よりも閉じ側に調整する制御の少なくともどちらかの制御を行うことで、潜熱処理部１２への通風量を減少させ、且つ、顕熱処理部２２への通風量を増加させることができる。
【００５４】
図３に基づいて、還気バイパス状態に切り替える場合について説明する。
バイパス状態切替制御部４１は、バイパス路３３を通して通風可能となるようにバイパス風量調整部３４を作動させるだけでなく、顕熱処理部２２への通風抵抗が潜熱処理部１２への通風抵抗よりも大きくなるように第１風量調整部２６及び第２風量調整部１６を作動させて、還気バイパス状態を現出している。バイパス状態切替制御部４１は、例えば、バイパス風量調整部３４を全開状態に作動させ、且つ、第１風量調整部２６及び第２風量調整部１６の開度を還気バイパス用設定開度に開作動させている。このように、バイパス状態切替制御部４１は、第１風量調整部２６及び第２風量調整部１６を還気バイパス用設定開度に開作動させることで、顕熱処理部２２への通風抵抗が潜熱処理部１２への通風抵抗よりも大きくなり、還気ＲＡの一部を外気側風路１１に適切に導入することができ、還気バイパス状態に適切に切り替えることができる。
【００５５】
還気バイパス用設定開度については、外気バイパス用設定開度と同様に、外気側フィルタ１５での圧力損失と還気側フィルタ２５での圧力損失との大小関係、及び、潜熱処理部１２での圧力損失と顕熱処理部２２での圧力損失との大小関係に基づいて、顕熱処理部２２への通風抵抗が潜熱処理部１２への通風抵抗よりも大きくなるように、実験等により予め設定されている。還気バイパス状態用設定開度は、第１風量調整部２６に対する設定開度と第２風量調整部１６に対する設定開度との夫々が設定されている。
【００５６】
還気バイパス状態では、図３に示すように、還気側風路２１に取り込まれた還気ＲＡの一部が、バイパス路３３を通して外気側風路１１に導入され、その導入された還気ＲＡと外気側風路１１に取り込まれた外気ＯＡとを混合させて潜熱処理部１２に通風させている。潜熱処理部１２にて潜熱処理（冷却除湿処理）された外気ＯＡと還気ＲＡとの混合気と、顕熱処理部２２にて顕熱処理（冷却処理）された還気ＲＡは、ケーシング２内の混合空間３２にて混合された後、給気ＳＡとして、給気ダクト５を通して空調対象空間１に供給されている。
【００５７】
バイパス状態切替制御部４１は、還気バイパス状態に切り替えた状態において、バイパス風量調整部３４、第１風量調整部２６、及び、第２風量調整部１６の夫々における開度を制御することで、潜熱処理部１２への通風量、及び、顕熱処理部２２への通風量を調整自在に構成されている。例えば、空調対象空間１の湿度センサ６の検出湿度である室内湿度が設定湿度よりも高い場合や空調対象空間１の温度センサ７の検出温度である室内温度が設定温度よりも高い場合には、バイパス状態切替制御部４１が、第１風量調整部２６の開度を還気バイパス用設定開度よりも閉じ側に調整する制御、及び、第２風量調整部１６の開度を還気バイパス用設定開度よりも開き側に調整する制御の少なくともどちらかの制御を行うことで、潜熱処理部１２への通風量を増加させ、且つ、顕熱処理部２２への通風量を減少させることができる。
【００５８】
以下、図４及び図５のフローチャートに基づいて、空調システム１００の動作について説明する。ちなみに、図５は、図４のステップ＃４の「バイパス制御」における動作を示すフローチャートとなっている。
【００５９】
ユーザがリモコン等を用いて、空調対象空間１の空調状態として目標となる設定温度及び設定湿度を設定する（ステップ＃１）。運転制御部４０が、湿度センサ６の検出湿度と設定湿度との偏差等から空調対象空間１の潜熱負荷を計測するとともに、温度センサ７の検出温度と設定温度との偏差等から空調対象空間１の顕熱負荷を計測している（ステップ＃２）。
【００６０】
運転制御部４０は、計測した潜熱負荷及び顕熱負荷を用いて、バイパス条件を満たすか否かを判別している（ステップ＃３）。バイパス条件を満たす場合には、運転制御部４０が、バイパス制御を行う（ステップ＃３のＹｅｓの場合、ステップ＃４）。
【００６１】
バイパス条件は、空調対象空間１の潜熱負荷及び顕熱負荷がどのような状況にあるかによって設定されている。空調対象空間１の顕熱負荷が下限以下である条件、空調対象空間１の潜熱負荷が上限以上である条件、空調対象空間１の顕熱負荷が上限以上である条件の３つの条件のいずれかが満たされていると、バイパス条件が満たされるように設定されている。温度センサ７の検出温度である室内温度が温度下限以下となると、空調対象空間１の顕熱負荷が下限以下となる。湿度センサ６の検出湿度である室内湿度が湿度上限以上となると、空調対象空間１の潜熱負荷が上限以上となる。温度センサ７の検出温度である室内温度が温度上限以上となると、空調対象空間１の顕熱負荷が上限以上となる。温度下限は、設定温度よりも下限設定温度（例えば、４℃）だけ小さい温度に設定することができる。湿度上限は、設定湿度よりも上限設定湿度（例えば、２０％）だけ大きい湿度に設定することができる。温度上限は、設定温度よりも上限設定温度（例えば、３℃）だけ大きい温度に設定することができる。
【００６２】
バイパス条件を満たさない場合には、運転制御部４０が、非バイパス状態としている（ステップ＃３のＮｏの場合、ステップ＃５）。運転制御部４０は、バイパス風量調整部３４を全閉状態とし、且つ、第１風量調整部２６及び第２風量調整部１６を全開状態とすることで、バイパス路３３を通した空気の通風を行わない非バイパス状態としている。
【００６３】
運転制御部４０は、湿度センサ６の検出湿度が設定湿度となり、且つ、温度センサ７の検出温度が設定温度となるように、共通のファン３１、潜熱側調整弁１４及び顕熱側調整弁２４の作動状態を制御する通常制御を行う（ステップ＃６）。
【００６４】
図５に基づいて、バイパス制御について説明する。
まず、運転制御部４０のバイパス状態切替制御部４１は、空調対象空間１の顕熱負荷が下限以下となっているか否かを判別している。温度センサ７の検出温度である室内温度が温度下限以下であると、空調対象空間１の顕熱負荷が下限以下であるとして、バイパス状態切替制御部４１が、外気バイパス状態に切り替える（ステップ＃１１のＮｏの場合、ステップ＃１２）。バイパス状態切替制御部４１は、温度センサ７の検出温度である室内温度が設定温度よりも大きくなるまで、外気バイパス状態に切り替えた状態を維持する（ステップ＃１３のＹｅｓの場合）。
【００６５】
外気バイパス状態では、図２に示すように、外気側風路１１に取り込まれた外気ＯＡの一部が、バイパス路３３を通して還気側風路２１に導入されるので、潜熱処理部１２への通風量が減少し、顕熱処理部２２への通風量が増加する。これにより、空調対象空間１に供給する給気ＳＡの温度が上昇することになり、空調対象空間１の室内温度を上昇させることができる。よって、空調対象空間１の顕熱負荷が下限以下となっても、バイパス状態切替制御部４１が外気バイパス状態に切り替えることで、空調対象空間１の室内温度を設定温度よりも高くすることができる。
【００６６】
上述の如く、外気バイパス状態に切り替えた状態において、バイパス状態切替制御部４１が、温度センサ７の検出温度である室内温度と設定温度との関係に基づいて、バイパス風量調整部３４、第１風量調整部２６、及び、第２風量調整部１６の夫々における開度を制御することで、潜熱処理部１２への通風量、及び、顕熱処理部２２への通風量を調整することができる。
【００６７】
図５に戻り、次に、バイパス状態切替制御部４１は、空調対象空間１の潜熱負荷が上限以上となっているか否かを判別している。ステップ＃１１のＹｅｓの場合、及び、ステップ＃１３のＮｏの場合に、湿度センサ６の検出湿度である室内湿度が湿度上限以上であると、空調対象空間１の潜熱負荷が上限以上であるとして、バイパス状態切替制御部４１が、還気バイパス状態に切り替える（ステップ＃１４のＮｏの場合、ステップ＃１５）。バイパス状態切替制御部４１は、湿度センサ６の検出湿度である室内湿度が設定湿度よりも小さくなるまで、還気バイパス状態に切り替えた状態を維持する（ステップ＃１６のＹｅｓの場合）。
【００６８】
還気バイパス状態では、図３に示すように、還気側風路２１に取り込まれた還気ＲＡの一部が、バイパス路３３を通して外気側風路１１に導入されるので、顕熱処理部２２への通風量が減少し、潜熱処理部１２への通風量が増加する。これにより、空調対象空間１に供給する給気ＳＡの湿度が低下することになり、空調対象空間１の室内湿度を低下させることができる。よって、空調対象空間１の潜熱負荷が上限以上となっても、バイパス状態切替制御部４１が還気バイパス状態に切り替えることで、空調対象空間１の室内湿度を設定湿度よりも低くすることができる。
【００６９】
上述の如く、還気バイパス状態に切り替えた状態において、バイパス状態切替制御部４１が、湿度センサ６の検出湿度である室内湿度と設定湿度との関係に基づいて、バイパス風量調整部３４、第１風量調整部２６、及び、第２風量調整部１６の夫々における開度を制御することで、潜熱処理部１２への通風量、及び、顕熱処理部２２への通風量を調整することができる。
【００７０】
図５に戻り、次に、バイパス状態切替制御部４１は、空調対象空間１の顕熱負荷が上限以上となっているか否かを判別している。ステップ＃１４のＹｅｓの場合、及び、ステップ＃１６のＮｏの場合に、温度センサ７の検出温度である室内温度が温度上限以上であると、空調対象空間１の顕熱負荷が上限以上であるとして、バイパス状態切替制御部４１が、還気バイパス状態に切り替える（ステップ＃１７のＮｏの場合、ステップ＃１８）。バイパス状態切替制御部４１は、温度センサ７の検出温度である室内温度が設定温度よりも小さくなるまで、還気バイパス状態に切り替えた状態を維持する（ステップ＃１９のＹｅｓの場合）。
【００７１】
還気バイパス状態では、図３に示すように、還気側風路２１に取り込まれた還気ＲＡの一部が、バイパス路３３を通して外気側風路１１に導入されるので、顕熱処理部２２への通風量が減少し、潜熱処理部１２への通風量が増加する。これにより、空調対象空間１に供給する給気ＳＡの温度が低下することになり、空調対象空間１の室内温度を低下させることができる。よって、空調対象空間１の顕熱負荷が上限以上となっても、バイパス状態切替制御部４１が還気バイパス状態に切り替えることで、空調対象空間１の室内温度を設定温度よりも低くすることができる。
【００７２】
上述の如く、還気バイパス状態に切り替えた状態において、バイパス状態切替制御部４１が、温度センサ７の検出温度である室内温度と設定温度との関係に基づいて、バイパス風量調整部３４、第１風量調整部２６、及び、第２風量調整部１６の夫々における開度を制御することで、潜熱処理部１２への通風量、及び、顕熱処理部２２への通風量を調整することができる。
【００７３】
このようにして、バイパス制御では、バイパス状態切替制御部４１が、空調対象空間１の顕熱負荷及び潜熱負荷の状況に応じて、外気バイパス状態と還気バイパス状態とに切り替えることで、空調対象空間１の室内温度を設定温度とし、且つ、空調対象空間１の室内湿度を設定湿度とすることができる。
【００７４】
〔別実施形態〕
本発明の他の実施形態について説明する。尚、以下に説明する各実施形態の構成は、それぞれ単独で適用することに限らず、他の実施形態の構成と組み合わせて適用することも可能である。
（１）上記実施形態では、図１に示すように、潜熱処理部１２及び顕熱処理部２２に熱源から熱媒体を供給するために、潜熱側循環供給路１３と顕熱側循環供給路２３とを備えて、熱源に対して潜熱処理部１２と顕熱処理部２２とを並列状態で接続している。
【００７５】
これに代えて、図６に示すように、熱源に対して、潜熱処理部１２を熱媒体の通流方向の上流側とし、顕熱処理部２２を熱媒体の通流方向の下流側として、潜熱処理部１２と顕熱処理部２２とを直列状態で接続することができる。この場合には、熱源から潜熱処理部１２と顕熱処理部２２とに熱媒体を循環供給するための共通の循環供給路３６が備えられ、共通の循環供給路３６には、熱源から潜熱処理部１２及び顕熱処理部２２への熱媒体の循環供給量を調整可能な共通の調整弁３７が備えられている。
【００７６】
（２）上記実施形態では、第１風量調整部２６が、還気側風路２１において、顕熱処理部２２よりも空気通流方向の上流側に配置され、第２風量調整部１６が、外気側風路１１において、潜熱処理部１２よりも空気通流方向の上流側に配置されている。これに代えて、還気側風路２１において、顕熱処理部２２よりも空気通流方向の下流側に第１風量調整部２６を配置し、外気側風路１１において、潜熱処理部１２よりも空気通流方向の下流側に第２風量調整部１６を配置することができる。
【００７７】
（３）上記実施形態では、共通のファン３１を１つ備えた例を示したが、共通のファン３１を複数備えることもできる。
【００７８】
（４）上記実施形態では、バイパス風量調整部３４は、例えば、開度を調整することでバイパス風量を調整可能な開度調整弁にて構成した例を示しているが、これに限らず、例えば、開状態と閉状態とに切り替えることでバイパス風量を調整可能な開閉弁にてバイパス風量調整部３４を構成することもできる。
【００７９】
（５）上記実施形態では、通風抵抗調整部３５として、第１風量調整部２６と第２風量調整部１６とを備えた例を示したが、第１風量調整部２６と第２風量調整部１６とのいずれか一方のみを備えることができる。
【００８０】
例えば、外気側フィルタ１５での圧力損失と還気側フィルタ２５での圧力損失との大小関係、及び、潜熱処理部１２での圧力損失と顕熱処理部２２での圧力損失との大小関係等から、潜熱処理部１２への通風抵抗が顕熱処理部２２への通風抵抗よりも大きい場合には、第２風量調整部１６を省略して、第１風量調整部２６のみを備えることができる。
【００８１】
逆に、外気側フィルタ１５での圧力損失と還気側フィルタ２５での圧力損失との大小関係、及び、潜熱処理部１２での圧力損失と顕熱処理部２２での圧力損失との大小関係等から、顕熱処理部２２への通風抵抗が潜熱処理部１２への通風抵抗よりも大きい場合には、第１風量調整部２６を省略して、第２風量調整部１６のみを備えることができる。
【符号の説明】
【００８２】
１          空調対象空間
２          ケーシング
１１        外気側風路
１２        潜熱処理部
１５        外気側フィルタ
１６        第２風量調整部
２１        還気側風路
２２        顕熱処理部
２５        還気側フィルタ
２６        第１風量調整部
３１        共通のファン
３３        バイパス路
３４        バイパス風量調整部
３５        通風抵抗調整部
４１        バイパス状態切替制御部
【図１】
2020003099.tif 000003
【図２】
2020003099.tif 000004
【図３】
2020003099.tif 000005
【図４】
2020003099.tif 000006
【図５】
2020003099.tif 000007
【図６】
2020003099.tif 000008